(57)【要約】この包装体は、注射器(２)を収容するためのグループ分けネスト(５)と、包装体のタブ(６)と、この包装体のタブを封止するための封止カバー(８)とを具えている。本発明によると、包装体はタブ(６)を封止する前に注射器本体(２)のフランジ(２ａ)に近接して配されるようになっている板(７)を具える。この板(７)は、フランジ(２ａ)と接触状態に配されるようになっている少なくとも１つの第１の面(７ａ)と、この第１の面(７ａ)の反対側のカバー板(７)側に配された少なくとも１つの第２の面(７ｂ)とを具える。前記第１の面(７ａ)と前記第２の面(７ｂ)との間の距離は、第１の面(７ａ)をフランジ(２ａ)に対して置いた場合、第２の面(７ｂ)が前記封止カバー(８)に接触またはその直近に近接するような方法で選択される。
2013538627.tif 000002
【特許請求の範囲】
【請求項１】
フランジ(２ａ)を有する円筒状容器(２)のための包装体(１)であって、この包装体は、カバー(８)により封止可能であって前記容器を支持するためのネスト(５)を収容するタブ(６)を具え、
第１の側および第２の側を有する板(７)を具え、この板(７)は、前記タブ(６)を封止する前に前記容器(２)のフランジ(２ａ)に近接して配することができ、当該板(７)は、前記第１の側に画成されて前記フランジ(２ａ)と接触状態となるようになっている第１の面(７ａ)と、前記第２の側に画成された第２の面(７ｂ)とを具え、前記容器(２)が前記タブ(６)にある前記ネスト(５)によって支持されると共に前記板(７)が前記フランジ(２ａ)に近接して配された場合、前記第１の面(７ａ)がフランジ(２ａ)に接触して前記第２の面(７ｂ)が前記封止カバー(８)に近接するように、前記第１の面(７ａ)は前記第２の面(７ｂ)から離れて空間をあけられていることを特徴とする包装体。
【請求項２】
前記板(７)が複数の前記第１の面(７ａ)と複数の前記第２の面(７ｂ)とを具えていることを特徴とする請求項１に記載の包装体(１)。
【請求項３】
前記板(７)は、リブ(１８)を形成する起伏(７ａ)を持った輪郭を有し、これらのリブ(１８)が前記第１の面(７ａ)を形成することを特徴とする請求項１または請求項２に記載の包装体(１)。
【請求項４】
前記板(７)が可撓性の材料から作られていることを特徴とする請求項１から請求項３の何れかに記載の包装体(１)。
【請求項５】
前記板(７)は少なくとも１つの軸線に沿って可撓性であり、この少なくとも１つの軸線に沿って巻かれることができることを特徴とする請求項１から請求項４の何れかに記載の包装体(１)。
【請求項６】
前記板(７)が少なくとも１つの補強壁(１５)または複数のこのような補強壁(１５)を具えていることを特徴とする請求項１から請求項５の何れかに記載の包装体(１)。
【請求項７】
前記板(７)が少なくとも１つの補強リブ(１７)または複数のこのような補強リブ(１７)を具えていることを特徴とする請求項１から請求項６の何れかに記載の包装体(１)。
【請求項８】
前記板(７)が複数の補強リブ(１７)を有し、これらはこの包装体に配された場合に前記ネスト(５)によって支持された前記容器と整列するようになっていることを特徴とする請求項７に記載の包装体(１)。
【請求項９】
前記板(７)が少なくとも１つの連続する周端縁(６)を具えていることを特徴とする請求項１から請求項８の何れかに記載の包装体(１)。
【請求項１０】
前記板(７)が少なくとも１つの完全な仕切り溝または複数のこのような完全な仕切り溝(２１)を具えていることを特徴とする請求項１から請求項９の何れかに記載の包装体(１)。
【発明の詳細な説明】
【技術分野】
【０００１】
この発明は、例えば注射器やカートリッジまたは他の円筒状容器の如きフランジを有する円筒状容器のための包装体に向けられる。それぞれの円筒状容器は、円筒状、特に管状の本体と、この本体の一端またはその近傍に配されたフランジとを具えている。フランジは、注射器本体と一体に形成されることができ、または本体にまたは本体に対して取り付けられる別個の部品であってよい。
【背景技術】
【０００２】
しばしば注射器は、これらが一方の場所で製造されて他の場所で充填される場合か、あるいはそれほど多くはないが、これらが同じ場所で製造されて充填され、そして充填されたならば他の場所に運ばなければならない場合、ある場所から他方へと移送する必要がある。
【０００３】
この移送のため、注射器は(i)グループ分けトレーまたはネストと、(ii)包装体のタブと、(iii)封止カバーとを具えた包装体内に通常、置かれる。トレーまたはネストは、チムニーの上端に対して当接するフランジを有する注射器を収容するためのチムニーによって同軸に囲まれた開口を具えている。このトレーまたはネストが包装体のタブに置かれ、次に封止カバーによって封止されると共に滅菌される。行き先で受け取られた場合、タブが自動化手段によって開けられ、トレーまたはネストをそこから引き出し、次に注射器の取り扱いおよび／または充填のために用いることができる。
【発明の概要】
【発明が解決しようとする課題】
【０００４】
注射器本体の内面は、注射器本体に対し、注射器のピストンまたはストッパーの後に続く滑動性を改善するために概ねコーティングされており、このコーティングは例えばシリコーンタイプの潤滑材である。このようなコーティングが注射器本体の内面に存在するので、コーティングが微量であったとしても注射器の先端および／または注射針へと落ちてこれらの開口を塞ぐことを回避するため、注射器を収容するタブを逆さまにして移送する必要がある。
【０００５】
さらに、この種の包装体に関し、これらの移送中の振動によってチムニーに対する注射器本体の反復摩擦が発生するため、いくつかの望ましくない小さな欠陥またはかき傷が注射器本体の外面に発現する可能性がある。これらの欠陥またはかき傷は、美観的結果のみならず、これらの出現はタブの内側の微片の発生と同義であるので、注射器の汚染につながる。場合によっては、注射器の破損が発生する可能性さえある。
【０００６】
この発明の主目的は、この欠点を克服することである。
【０００７】
並行して、本出願人は円形でないフランジを持った注射器が方向付けられる、すなわち、注射器のフランジがあらかじめ設定した位置に特定の角度でチムニーに維持され、フランジの列を相互に組み合わせることができる新奇のトレーまたはネストを開発している。このトレーは、規格タブにおいて注射器本体をより高密度へともたらし、従ってこのタブで移送することができる注射器の数の増大を可能にする。
【０００８】
だが、このような包装体でさえ、チムニーの上端とのフランジの接触が回避されず、従って欠陥，かき傷，破損以外に微片もまた、注射器本体の移送中、特にタブを逆さまにした場合に発生する可能性がある。
【０００９】
この発明の目的はまた、この問題を克服することである。
【課題を解決するための手段】
【００１０】
関係する包装体は、本質的に周知の方法でカバーにより封止可能であって、それぞれフランジを有する容器を支持するためのネストを支持するタブを具えている。
【００１１】
本発明によると、この包装体はまた、第１の側および第２の側を有する板を具え、前記板は、タブを封止する前に容器のフランジに近接して配することができる。前記板は、前記第１の側に画成されてフランジと接触状態となるようになっている第１の面と、前記第２の側に画成された第２の面とを具え、前記容器がタブにあるネストによって支持されると共に前記板がフランジに近接して配された場合、第１の面がフランジに接触して前記第２の面が封止カバーに近接するように、前記第１の面は前記第２の面から離れて空間をあけられている。
【００１２】
本出願人は、微片や、かき傷または破損の問題がトレーの穴および／またはチムニー内の容器、特に注射器の移動によって、フランジと封止カバーとの間の明確な空間のために引き起こされることを見出している。従って、このような移動を回避するか、または少なくともこれを減少させるため、本出願人は注射器のフランジと封止カバーとを直接接触状態にする本発明による板を開発した。
【００１３】
本出願人はまた、トレーまたはネストを方向付けたフランジと共に用いた場合、相当な程度の望ましくないかき傷や微片の問題または破損であっても発生する可能性があることを見出している。実際のところ、このようなトレーまたはネストに関し、フランジは決められた角度位置にフランジを配するために設けられたトレーまたはネストに存在する突起に対して移動することができる。注射器のこの動きは、決定した方向付けの喪失をもたらし、従ってフランジが相互に重なり合って一方の直近にあるので、異なるフランジ間、特にこの種のトレーまたはネストとの接触を引き起す。
【００１４】
本発明による板と共に得られる注射器の軸線方向の移動の除去は、フランジを前記突起と係合状態に保持し、従ってタブが逆さまの場合にフランジをこれらの決められた向きに保持することを可能にし、従って前述の欠点を克服することを可能にする。
【００１５】
板は、単一の前記第１の面と単一の前記第２の面とを具えることができる。しかしながら、この板はリブを形成する起伏を持った輪郭を有することが好ましく、これらのリブは前記第１の面を形成し、すなわち注射器本体の列の前にそれぞれ配された複数の前記第１の面と、封止カバーの側面に配された複数の前記第２の面とを具えている。
【００１６】
従って、起伏または溝を持つこのカバー板は、平行平面のカバー板よりも少ない材料で構成され、特により軽くて製造するのが高価ではなく、熱成形によって付加的に製造することができる。さらに、この種のカバー板は可撓性の構造を有する利点を有しり外される場合、板を巻き付けるため適当な可撓性の材料から作る必要があるか、または、これは封止カバーと共に巻き取ることによって取り外されることを可能にする。
【００１７】
板が封止カバーの除去と同時に巻き取ることによって取板が一方向に堅くなっていない構造を有し、この方向に沿って適切に巻かれるようにする必要がある。
【００１８】
板が把持および／または吸引、例えば吸着カップにより取り外される場合、この場合には板は少なくとも１つの補強壁または複数のこのような補強壁を具える。
【００１９】
板はまた、少なくとも１つの補強リブまたは複数のこのような補強リブ具えることができ、例えば補強リブは、包装体の中に配された場合、これらをネストにある注射器列に対して整列させるように構成される。
【００２０】
板はまた、連続する周端縁を具えることができる。
【００２１】
板はまた、少なくとも１つの完全な仕切り溝または複数のこのような完全な仕切り溝を具えることができる。
【００２２】
上のこれらの特徴は、個々にまたは組み合わせてカバー板に剛性をもたらし、把持および／または吸引によってこれが取り外されることを可能にする。
【００２３】
限定ではなく網羅的ではない例示による包装体の好ましい実施形態およびこの包装体を具えた板のいくつかの実施形態を表す添付した概略図を参照して本発明がさらに良好に理解されると共に他の特徴およびその利点が明白となろう。
【図面の簡単な説明】
【００２４】
【図１】本発明の第１の実施形態による板を持った包装体の立体投影分解図である。
【図２】封止後の第２の実施形態の側面断面図である。
【図３】縮尺を拡大した図２と同様な図である。
【図４】本発明の他の実施形態による板の底面立体投影図である。
【図５】本発明の他の実施形態による板の上面立体投影図である。
【図６】本発明の他の実施形態による板の底面立体投影図である。
【図７】本発明の他の実施形態による板の上面立体投影図である。
【発明を実施するための形態】
【００２５】
図１〜図３は、注射器２を収容するためのグループ分けネスト５と、タブ６と、板７と、このタブ６の封止カバー８（図２および図３において見ることができる）とを具え、注射器２をある場所から他へと移送するための包装体１を示す。
【００２６】
グループ分けネスト５は、円形の連続するチムニー１０によって同軸に囲まれた複数の開口と、これらのチムニー１０の間に配された位置決め突起１１とを具えている。円形のチムニー１０は、注射器２の円筒状リザーバーのための調整ハウジングを形成し、注射器２の円筒状リザーバーまたは注射筒２ｂをこれらチムニー１０に完全に係合した場合、注射器２の基部の円形ではないフランジ２ａをそこで支える。フランジ２ａは、突起１１がこれらフランジ２ａの方向付けをもたらし、後者が他方と接触することなく相互に近接して配置されることができるような方法で、突起１１間の完全な係合位置に挿入される。このような構成は、同じ出願人の特許出願第ＰＣＴ/ＩＢ２００９/００６９０７号の文献に開示されている。
【００２７】
タブ６は、封止カバー８を封止するための上部フランジ１２と、ネスト５を支えるための上部肩部１３と、ネスト５が肩部１３に対して支持された場合に注射器２を収容するための底部１４とを有する。板７は、ネスト５およびタブ６に似ており、成形された合成材料から作られる。
【００２８】
図２および図３に記述された実施形態においてより詳細に示されるように、カバー板７は図３の断面において見られる起伏のある輪郭を有することができる。起伏の軸線間の距離は、ネスト５上の注射器２の列間距離に対応し、カバー板７の全体の厚さは、注射器２がネスト５に配されると共にネスト５がタブ６に配された場合、フランジ２ａの上面と封止カバー８の内面とを分離する距離に対応する。従って、図３に明瞭に示すように、カバー板７は、フランジ２ａに対して支持するようになっている複数の第１の面７ａと、これら第１の面の反対側のカバー板７の側方に配される複数の第２の面７ｂとを形成する複数のリブ１８を画成し、第１の面７ａと第２の面とを分離する距離は、第２の面７ｂが封止カバー８と接触状態になった時に第１の面７ａがフランジ２ａに対して支持するように選択される。
【００２９】
この実施形態において、カバー板７はまた、前記第２の面７ｂを形成するその面に、補強壁１５と、カバー板７の側面を越えて面７ｂの反対側に延在する連続した周端縁１６とを具えている。壁１５は、前記第１の面７ａを形成するリブ１８によってカバー板７の上側に形成されたキャビティー２１に配されると共に前記第１の面７ａを横切って配置されるように、これらのキャビティー２１に沿って規則的に配置される。
【００３０】
このような構成のため、カバー板７は相対的に高い剛性を有し、把持および／または吸引により、例えば吸着カップによって取り外すことができる。
【００３１】
図１に示すように、カバー板７はまた、ブリッジ２０（図１には４つ存在する）、すなわちキャビティー２１が全く存在しない領域を具えることができる。これらのブリッジ２０は、吸込カップが用いられる場合、カバー板７の取り外しを容易にするために配される。
【００３２】
図２および図３に示すように、他の一実施形態において、カバー板７はまた、リブ１８に対して直交し、これらリブ１８の底壁から突出する補強リブ１７を具えることができる。これらの補強リブ１７は、隣接する壁１５を結合してカバー板７の底側の剛性を改善する。
【００３３】
封止カバー８は、適当な加熱封止可能な材料のシート、特にタイベック（登録商標：Dupont De Nemours Companyにて販売される材料）のシートによって形成される。
【００３４】
この板７に関し、フランジ２ａおよび封止カバー８とのその同時接触のため、チムニー１０内の注射器２のあらゆる軸線方向の移動が回避される。このカバー板７がない場合、フランジ２ａと前記封止カバー８との間に存在する距離のためにこれらの移動が可能となろう。これによって、このカバー板７は、この軸線方向の移動の可能性に起因する注射器２の痕，微片，かき傷または破損の発生の問題の解消をもたらす。
【００３５】
カバー板７はまた、包装体１を逆さまに保持した場合であっても、位置決め突起１１と係合状態でフランジ２ａの安定した保持をもたらす。従って、このような突起１１によりあらかじめ決められた向きにフランジ２ａが保持されるネスト５と共に存在する高水準の望ましくない痕，微片および破損の危険性の問題をこれは解決する。
【００３６】
図４（底面図）および図５（上面図）はカバー板７の他の実施形態を示し、これは把持および／または吸引により取り外されるようになっている。この実施形態において、カバー板７は成形プラスチックで作ることができる硬質のカバー板である。図１〜図３の実施形態に関し、いくつかの壁１５がキャビティー２１に配されてカバー板７の剛性を補強し、連続する周端縁１６はまた、カバー板７をタブ６に留めるために存在している。
【００３７】
図６（底面図）および７（上面図）はカバー板７のさらに他の実施形態を示し、このカバー板は可撓性であって熱成形により作ることができる。これらの図に関し、カバー板は前記第１の面７ａを形成したリブ１８を具え、このカバー板７を横切る方向に完全に延在し、従ってリブ１８が突出する方と反対の面に完全な仕切り溝２１を第１の面が有する。これらの完全な仕切り溝２１は、カバー板７をこの板の一つの主方向に硬くし、注射器のフランジに当接する。これらは、カバー板７の片側または両側に出口２１ａを有することができる。
【００３８】
この実施形態は、どのような連続する周端縁１６も具えていない。出口２１ａは、注射器がネストに配された場合、周端縁１６と同様に、カバー板７がネスト５に留められることを可能にする。このカバー板７は、巻き取ることによって封止カバー８の除去と同時に取り外されるようになっており、リブ１８または完全な仕切り溝２１に対して直交方向に巻かれるようになっている。
【００３９】
前述の事項から明らかになっているように、本発明は円筒状の容器、特に注射器のための包装体を提供し、従来技術の包装体に関して上述の確定した利点を有している。
【００４０】
本発明は、例示によって与えた実施形態を参照して前述している。本発明がこれらの実施形態に限定されず、添付の特許請求の範囲によって包含される他のすべての実施形態まで拡がっていることは明らかである。
【図１】
2013538627.tif 000003
【図２】
2013538627.tif 000004
【図３】
2013538627.tif 000005
【図４】
2013538627.tif 000006
【図５】
2013538627.tif 000007
【図６】
2013538627.tif 000008
【図７】
2013538627.tif 000009
【国際調査報告】
2013538627.tif 000010
2013538627.tif 000011